(57)【要約】【課題】アップリンクとダウンリンクの間に成り立つチャネル相互関係が劣化している場合であっても、ダウンリンクでの送信に関する制御を適切に行うこと。【解決手段】基地局１００は、ダウンリンクチャネル推定値に基づいたダウンリンクチャネル情報と、アップリンクチャネル推定値に基づいたアップリンクチャネル情報と、を取得する情報取得部１４３と、ダウンリンクチャネル情報とアップリンクチャネル情報との相関関係に基づいて、ダウンリンクチャネルでの送信に関する制御を行う制御部１４５と、を備える。【選択図】図２
2019176468.tif 000002
【特許請求の範囲】
【請求項１】
ダウンリンクチャネル推定値に基づいたダウンリンクチャネル情報と、アップリンクチャネル推定値に基づいたアップリンクチャネル情報と、を取得する情報取得部と、
前記ダウンリンクチャネル情報と前記アップリンクチャネル情報との相関関係に基づいて、ダウンリンクチャネルでの送信に関する制御を行う制御部と、
を備える基地局。
【請求項２】
アップリンクで端末装置から前記ダウンリンクチャネル推定値に関する情報を受信する通信処理部を更に備える、請求項１記載の基地局。
【請求項３】
前記ダウンリンクチャネル推定値は、当該基地局がダウンリンクで送信するダウンリンクリファレンス信号に基づいて推定される値である、請求項１又は２記載の基地局。
【請求項４】
前記ダウンリンクチャネル情報は、時間方向及び周波数方向の少なくとも一の方向で規定されるダウンリンクの無線リソース位置で送信される複数のダウンリンクリファレンス信号に基づいて推定される複数のダウンリンクチャネル推定値の平均値に関する情報である、請求項３項記載の基地局。
【請求項５】
前記ダウンリンクリファレンス信号は、ＣＳＩ（Channel  State  Information）−ＲＳ（Reference  Signal）である、請求項３又は４記載の基地局。
【請求項６】
前記アップリンクチャネル推定値は、アップリンクで端末装置から送信されるアップリンクリファレンス信号に基づいて推定される値である、請求項１乃至５のうち何れか１項記載の基地局。
【請求項７】
前記アップリンクチャネル情報は、時間方向及び周波数方向の少なくとも一の方向で規定されるアップリンクの無線リソース位置で送信される複数のアップリンクリファレンス信号に基づいて推定される複数のアップリンクチャネル推定値の平均値に基づいて導出される情報である、請求項６項記載の基地局。
【請求項８】
前記アップリンクリファレンス信号は、ＳＲＳ（Sounding  Reference  Signal）である、請求項６又は７記載の基地局。
【請求項９】
前記アップリンクリファレンス信号が割り当てられる無線リソースの位置に関する情報を、前記端末装置に送信する通信処理部を更に備える請求項６乃至８のうち何れか１項記載の基地局。
【請求項１０】
前記ダウンリンクチャネル推定値は、当該基地局がダウンリンクで送信するダウンリンクリファレンス信号に基づいて推定される値であり、
前記アップリンクリファレンス信号が割り当てられる前記無線リソースの前記位置は、前記ダウンリンクリファレンス信号が割り当てられる無線リソースの位置に基づいて決まる無線リソースの位置である、請求項９記載の基地局。
【請求項１１】
ダウンリンクチャネル推定値に基づいたダウンリンクチャネル情報と、アップリンクチャネル推定値に基づいたアップリンクチャネル情報と、を取得することと、
前記ダウンリンクチャネル情報と前記アップリンクチャネル情報との相関関係に基づいて、ダウンリンクチャネルでの送信に関する制御を行うことと、
含む方法。
【請求項１２】
ダウンリンクチャネル推定値に基づいたダウンリンクチャネル情報と、アップリンクチャネル推定値に基づいたアップリンクチャネル情報と、を取得することと、
前記ダウンリンクチャネル情報と前記アップリンクチャネル情報との相関関係に基づいて、ダウンリンクチャネルでの送信に関する制御を行うことと、
をプロセッサに実行させるプログラム。
【請求項１３】
ダウンリンクチャネル推定値に基づいたダウンリンクチャネル情報と、アップリンクチャネル推定値に基づいたアップリンクチャネル情報と、を取得することと、
前記ダウンリンクチャネル情報と前記アップリンクチャネル情報との相関関係に基づいて、ダウンリンクチャネルでの送信に関する制御を行うことと、
をプロセッサに実行させるプログラムを記録したコンピュータに読み取り可能な非一時的記録媒体。
【発明の詳細な説明】
【技術分野】
【０００１】
本発明は、無線アクセスネットワークの基地局、方法、プログラム、及び記録媒体に関する。
【背景技術】
【０００２】
無線アクセスネットワークでは、アップリンクとダウンリンクの間に成り立つチャネル相互関係（ｃｈａｎｎｅｌ  ｒｅｃｉｐｒｏｃｉｔｙ）に基づいて、チャネル品質を推定することが行われている。【０００３】
例えば、特許文献１には、アップリンクとダウンリンクの間の相互関係誤差の較正の精度を高める目的で、複数のユーザ端末と基地局の間のチャネル品質関連情報に従って、少なくとも１つのユーザ端末を、アップリンクとダウンリンクの間の相互関係誤差を較正するための較正ユーザ端末として選択することが記載されている。
【先行技術文献】
【特許文献】
【０００４】
【特許文献１】特表２０１３−５３８４８４号公報
【発明の概要】
【発明が解決しようとする課題】
【０００５】
しかしながら、上記特許文献１を含む技術では、アップリンクとダウンリンクの間に成り立つチャネル相互関係（ｃｈａｎｎｅｌ  ｒｅｃｉｐｒｏｃｉｔｙ）が理想的ではなく劣化している場合、例えば、ダウンリンクでのスケジューリングなど、基地局がダウンリンクでの送信に関する制御を適切に行うことができなかった。【０００６】
本発明の目的は、アップリンクとダウンリンクの間に成り立つチャネル相互関係（ｃｈａｎｎｅｌ  ｒｅｃｉｐｒｏｃｉｔｙ）が劣化している場合であっても、ダウンリンクでの送信に関する制御を適切に行うことを可能にする基地局、方法、プログラム、及び記録媒体を提供することにある。
【課題を解決するための手段】
【０００７】
本発明の一態様によれば、基地局は、ダウンリンクチャネル推定値に基づいたダウンリンクチャネル情報と、アップリンクチャネル推定値に基づいたアップリンクチャネル情報と、を取得する情報取得部と、前記ダウンリンクチャネル情報と前記アップリンクチャネル情報との相関関係に基づいて、ダウンリンクチャネルでの送信に関する制御を行う制御部と、を備える。【０００８】
本発明の一態様によれば、方法は、ダウンリンクチャネル推定値に基づいたダウンリンクチャネル情報と、アップリンクチャネル推定値に基づいたアップリンクチャネル情報と、を取得することと、前記ダウンリンクチャネル情報と前記アップリンクチャネル情報との相関関係に基づいて、ダウンリンクチャネルでの送信に関する制御を行うことと、含む。【０００９】
本発明の一態様によれば、プログラムは、ダウンリンクチャネル推定値に基づいたダウンリンクチャネル情報と、アップリンクチャネル推定値に基づいたアップリンクチャネル情報と、を取得することと、前記ダウンリンクチャネル情報と前記アップリンクチャネル情報との相関関係に基づいて、ダウンリンクチャネルでの送信に関する制御を行うことと、をプロセッサに実行させる。【００１０】
本発明の一態様によれば、記録媒体は、ダウンリンクチャネル推定値に基づいたダウンリンクチャネル情報と、アップリンクチャネル推定値に基づいたアップリンクチャネル情報と、を取得することと、前記ダウンリンクチャネル情報と前記アップリンクチャネル情報との相関関係に基づいて、ダウンリンクチャネルでの送信に関する制御を行うことと、をプロセッサに実行させるプログラムを記録したコンピュータに読み取り可能な非一時的記録媒体である。
【発明の効果】
【００１１】
本発明によれば、アップリンクとダウンリンクの間に成り立つチャネル相互関係（ｃｈａｎｎｅｌ  ｒｅｃｉｐｒｏｃｉｔｙ）が劣化している場合であっても、ダウンリンクでの送信に関する制御を適切に行うことが可能になる。なお、本発明により、当該効果の代わりに、又は当該効果とともに、他の効果が奏されてもよい。
【図面の簡単な説明】
【００１２】
【図１】図１は、本発明の実施形態に係るシステム１の概略的な構成の一例を示す説明図である。
【図２】図２は、第１の実施形態に係る基地局１００の概略的な構成の例を示すブロック図である。
【図３】図３は、第１の実施形態に係る端末装置２００の概略的な構成の例を示すブロック図である。
【図４】図４は、ダウンリンクおよびアップリンクで送信される各信号の送信スケジュールを示すタイムチャート図である。
【図５】図５は、ＣＳＩ−ＲＳ及びＳＲＳがそれぞれ割り当てられるリソースブロックの概略的な構成を示す図である。
【図６】図６は、第２の実施形態に係る基地局１００の概略的な構成の例を示すブロック図である。
【発明を実施するための形態】
【００１３】
以下、添付の図面を参照して本発明の実施形態を詳細に説明する。なお、本明細書及び図面において、同様に説明されることが可能な要素については、同一の符号を付することにより重複説明が省略され得る。
【００１４】
説明は、以下の順序で行われる。
１．本発明の実施形態の概要
２．システムの構成
３．第１の実施形態
３．１．基地局１００の構成
３．２．端末装置２００の構成
３．３．技術的特徴
３．４．実施例
４．第２の実施形態
４．１．基地局１００の構成
４．２．技術的特徴
５．他の形態
【００１５】
＜＜１．本発明の実施形態の概要＞＞
まず、本発明の実施形態の概要を説明する。
【００１６】
（１）技術的課題
無線アクセスネットワークでは、アップリンクとダウンリンクの間に成り立つチャネル相互関係（ｃｈａｎｎｅｌ  ｒｅｃｉｐｒｏｃｉｔｙ）に基づいて、チャネル品質を推定することが行われている。
【００１７】
しかしながら、アップリンクとダウンリンクの間に成立するＵＬ（Uplink）−ＤＬ（Downlink）  ｃｈａｎｎｅｌ  ｒｅｃｉｐｒｏｃｉｔｙ）が理想的ではなく劣化している場合、基地局によりアップリンクチャネル推定値を使っても、多素子アンテナによるダウンリンクのビームフォーミング／プリコーディングウェイトを精度良く算出することができない。つまり、上記ビームフォーミング／プリコーディングウェイトは、実際のダウンリンクチャネルに対して最適ではないため、端末装置の受信信号品質が劣化しうる。
【００１８】
また、端末の受信信号品質の劣化を考慮しない端末装置当たりのレイヤ数（Rank）、及びレイヤごとのＭＣＳ（Modulation  Coding  Scheme）を用いて基地局によるダウンリンク送信が行われるため、端末装置のデータ復号誤り率が増加する。
【００１９】
さらに、ＵＬ−ＤＬ  Ｃｈａｎｎｅｌ  Ｒｅｃｉｐｒｏｃｉｔｙが劣化している端末装置が、ＤＬ  ＭＵ（Multi-User）−ＭＩＭＯ（Multiple-Input  Multiple-Output）技術を使用すると、同一時間／周波数リソースに多重している他の端末装置の受信信号品質を劣化させることになる。
【００２０】
ここで、ＵＬ−ＤＬ  Ｃｈａｎｎｅｌ  Ｒｅｃｉｐｒｏｃｉｔｙの劣化要因として、次の例を挙げることができる。
【００２１】
例えば第１に、端末装置の移動などの理由で、アップリンクチャネル推定値算出時のアップリンク伝送路とダウンリンクチャネル推定値算出時のダウンリンク伝搬路が異なる場合が、上記劣化要因として考えられる。
【００２２】
例えば第２に、基地局が備える複数の送受信アンテナ（送受信機）に対して、送信アンテナ同士、受信アンテナ同士、および送信アンテナ群と受信アンテナ群の間で、位相と振幅を揃えるキャリブレーションが理想的に実現できていない場合が、上記劣化要因として考えられる。
【００２３】
例えば第３に、端末装置が複数の送受信アンテナ（送受信機）を備えていた場合に、相対的な送信機間の特性差（例えば位相、振幅など)に対して、相対的な受信機間の特性差（例えば位相、振幅など)が大きく異なる場合が、上記劣化要因として考えられる。
【００２４】
そこで、本実施形態の目的は、アップリンクとダウンリンクの間に成り立つチャネル相互関係（ｃｈａｎｎｅｌ  ｒｅｃｉｐｒｏｃｉｔｙ）が劣化している場合であっても、ダウンリンクでの送信に関する制御を適切に行うことを可能にすることである。
【００２５】
（２）技術的特徴
本発明の実施形態では、例えば、基地局は、ダウンリンクチャネル推定値に基づいたダウンリンクチャネル情報と、アップリンクチャネル推定値に基づいたアップリンクチャネル情報と、を取得し、上記ダウンリンクチャネル情報と上記アップリンクチャネル情報との相関関係に基づいて、ダウンリンクチャネルでの送信に関する制御を行う。
【００２６】
これにより、例えばアップリンクとダウンリンクの間に成り立つチャネル相互関係（ｃｈａｎｎｅｌ  ｒｅｃｉｐｒｏｃｉｔｙ）が劣化している場合であっても、ダウンリンクでの送信に関する制御を適切に行うことが可能になる。なお、上述した技術的特徴は本発明の実施形態の具体的な一例であり、当然ながら、本発明の実施形態は上述した技術的特徴に限定されない。
【００２７】
＜＜２．システムの構成＞＞
図１を参照して、本発明の実施形態に係るシステム１の構成の例を説明する。図１は、本発明の実施形態に係るシステム１の概略的な構成の一例を示す説明図である。図１を参照すると、システム１は、基地局１００、及び端末装置２００、を含む。
【００２８】
例えば、システム１は、３ＧＰＰ（Third  Generation  Partnership  Project）の規格（standard）／仕様（specification）に準拠したシステムである。より具体的には、例えば、システム１は、ＬＴＥ／ＬＴＥ−Ａｄｖａｎｃｅｄ及び／又はＳＡＥ（System  Architecture  Evolution）の規格／仕様に準拠したシステムであってもよい。あるいは、システム１は、第５世代（５Ｇ）／ＮＲ（New  Radio）の規格／仕様に準拠したシステムであってもよい。当然ながら、システム１は、これらの例に限定されない。
【００２９】
（１）基地局１００
基地局１００は、無線アクセスネットワーク（Radio  Access  Network：ＲＡＮ）のノードであり、カバレッジエリア１０内に位置する端末装置（例えば、端末装置２００）との無線通信を行う。
【００３０】
例えば、基地局１００は、ｅＮＢ（evolved  Node  B）であってもよく、又は、５ＧにおけるｇＮＢ（generation  Node  B）であってもよい。基地局１００は、複数のユニット（又は複数のノード）を含んでもよい。当該複数のユニット（又は複数のノード）は、上位のプロトコルレイヤの処理を行う第１ユニット（又は第１ノード）と、下位のプロトコルレイヤの処理を行う第２ユニット（又は第２ノード）とを含んでもよい。一例として、上記第１ユニットは、中央ユニット（Center/Central  Unit：ＣＵ）と呼ばれてもよく、上記第２のユニットは、分散ユニット（Distributed  Unit：ＤＵ）又はアクセスユニット（Access  Unit：ＡＵ）と呼ばれてもよい。別の例として、上記第１ユニットは、デジタルユニット（Digital  Unit：ＤＵ）と呼ばれてもよく、上記第２ユニットは、無線ユニット（Radio  Unit：ＲＵ）又はリモートユニット（Remote  Unit：ＲＵ）と呼ばれてもよい。上記ＤＵ（Digital  Unit）は、ＢＢＵ（Base  Band  Unit）であってもよく、上記ＲＵは、ＲＲＨ（Remote  Radio  Head）又はＲＲＵ（Remote  Radio  Unit）であってもよい。当然ながら、上記第１ユニット（又は第１のノード）及び上記第２ユニット（又は第２のノード）の呼称は、この例に限定されない。あるいは、基地局１００は、単一のユニット（又は単一のノード）であってもよい。この場合に、基地局１００は、上記複数のユニットのうちの１つ（例えば、上記第１ユニット及び上記第２ユニットの一方）であってもよく、上記複数のユニットのうちの他のユニット（例えば、上記第１ユニット及び上記第２ユニットの他方）と接続されていてもよい。
【００３１】
（２）端末装置２００
端末装置２００は、基地局との無線通信を行う。例えば、端末装置２００は、基地局１００のカバレッジエリア１０内に位置する場合に、基地局１００との無線通信を行う。例えば、端末装置２００は、ＵＥ（User  Equipment）である。
【００３２】
＜＜３．第１の実施形態＞＞
続いて、図２〜図５を参照して、本発明の第１の実施形態を説明する。
【００３３】
＜３．１．基地局１００の構成＞
次に、図２を参照して、第１の実施形態に係る基地局１００の構成の例を説明する。図２は、第１の実施形態に係る基地局１００の概略的な構成の例を示すブロック図である。図２を参照すると、基地局１００は、無線通信部１１０、ネットワーク通信部１２０、記憶部１３０及び処理部１４０を備える。
【００３４】
（１）無線通信部１１０
無線通信部１１０は、信号を無線で送受信する。例えば、無線通信部１１０は、端末装置からの信号を受信し、端末装置への信号を送信する。
【００３５】
（２）ネットワーク通信部１２０
ネットワーク通信部１２０は、ネットワークから信号を受信し、ネットワークへ信号を送信する。
【００３６】
（３）記憶部１３０
記憶部１３０は、基地局１００の動作のためのプログラム（命令）及びパラメータ、並びに様々なデータを、一時的に又は恒久的に記憶する。当該プログラムは、基地局１００の動作のための１つ以上の命令を含む。
【００３７】
（４）処理部１４０
処理部１４０は、基地局１００の様々な機能を提供する。処理部１４０は、通信処理部１４１、情報取得部１４３、及び制御部１４５を含む。なお、処理部１４０は、これらの構成要素以外の他の構成要素をさらに含み得る。即ち、処理部１４０は、これらの構成要素の動作以外の動作も行い得る。通信処理部１４１、情報取得部１４３、及び制御部１４５の具体的な動作は、後に詳細に説明する。
【００３８】
例えば、処理部１４０（通信処理部１４１）は、無線通信部１１０を介して端末装置（例えば、端末装置２００）と通信する。例えば、処理部１４０（通信処理部１４１）は、ネットワーク通信部１２０を介して他のネットワークノードと通信する。
【００３９】
（５）実装例
無線通信部１１０は、アンテナ及び高周波（Radio  Frequency：ＲＦ）回路等により実装されてもよく、当該アンテナは、指向性アンテナであってもよい。ネットワーク通信部１２０は、ネットワークアダプタ並びに／又はネットワークインタフェースカード等により実装されてもよい。記憶部１３０は、メモリ（例えば、不揮発性メモリ及び／若しくは揮発性メモリ）並びに／又はハードディスク等により実装されてもよい。処理部１４０は、ベースバンド（Baseband：ＢＢ）プロセッサ及び／又は他の種類のプロセッサ等の１つ以上のプロセッサにより実装されてもよい。通信処理部１４１、情報取得部１４３、及び制御部１４５は、同一のプロセッサにより実装されてもよく、別々に異なるプロセッサにより実装されてもよい。上記メモリ（記憶部１３０）は、上記１つ以上のプロセッサ内に含まれていてもよく、又は、上記１つ以上のプロセッサ外にあってもよい。
【００４０】
基地局１００は、プログラム（命令）を記憶するメモリと、当該プログラム（命令）を実行可能な１つ以上のプロセッサとを含んでもよい。当該１つ以上のプロセッサは、上記プログラムを実行して、処理部１４０の動作（通信処理部１４１、情報取得部１４３、及び／又は制御部１４５の動作）を行ってもよい。上記プログラムは、処理部１４０の動作（通信処理部１４１、情報取得部１４３、及び／又は制御部１４５の動作）をプロセッサに実行させるためのプログラムであってもよい。
【００４１】
なお、基地局１００は、仮想化されていてもよい。即ち、基地局１００は、仮想マシンとして実装されてもよい。この場合に、基地局１００（仮想マシン）は、プロセッサ及びメモリ等を含む物理マシン（ハードウェア）及びハイパーバイザ上で仮想マシンとして動作してもよい。
【００４２】
＜３．２．端末装置２００の構成＞
次に、図３を参照して、第１の実施形態に係る端末装置２００の構成の例を説明する。図３は、第１の実施形態に係る端末装置２００の概略的な構成の例を示すブロック図である。図３を参照すると、端末装置２００は、無線通信部２１０、記憶部２２０及び処理部２３０を備える。
【００４３】
（１）無線通信部２１０
無線通信部２１０は、信号を無線で送受信する。例えば、無線通信部２１０は、基地局１００からの信号を受信し、基地局１００への信号を送信する。
【００４４】
（２）記憶部２２０
記憶部２２０は、端末装置２００の動作のためのプログラム（命令）及びパラメータ、並びに様々なデータを、一時的に又は恒久的に記憶する。当該プログラムは、端末装置２００の動作のための１つ以上の命令を含む。
【００４５】
（３）処理部２３０
処理部２３０は、端末装置２００の様々な機能を提供する。処理部２３０は、通信処理部２３１、及び制御部２３３を含む。なお、処理部２３０は、これらの構成要素以外の他の構成要素をさらに含み得る。即ち、処理部２３０は、これらの構成要素の動作以外の動作も行い得る。通信処理部２３１、及び制御部２３３の具体的な動作は、後に詳細に説明する。
【００４６】
例えば、処理部２３０（通信処理部２３１）は、無線通信部２１０を介して基地局１００と通信する。
【００４７】
（４）実装例
無線通信部２１０は、アンテナ及び高周波（ＲＦ）回路等により実装されてもよい。記憶部２２０は、メモリ（例えば、不揮発性メモリ及び／若しくは揮発性メモリ）並びに／又はハードディスク等により実装されてもよい。処理部２３０は、ベースバンド（ＢＢ）プロセッサ及び／又は他の種類のプロセッサ等の１つ以上のプロセッサにより実装されてもよい。通信処理部２３１、及び制御部２３３は、同一のプロセッサにより実装されてもよく、別々に異なるプロセッサにより実装されてもよい。上記メモリ（記憶部２２０）は、上記１つ以上のプロセッサ内に含まれていてもよく、又は、上記１つ以上のプロセッサ外にあってもよい。一例として、処理部２３０は、ＳｏＣ（System  on  Chip）内で実装されてもよい。
【００４８】
端末装置２００は、プログラム（命令）を記憶するメモリと、当該プログラム（命令）を実行可能な１つ以上のプロセッサとを含んでもよい。当該１つ以上のプロセッサは、上記プログラムを実行して、処理部２３０の動作（通信処理部２３１、及び制御部２３３の動作）を行ってもよい。上記プログラムは、処理部２３０の動作（通信処理部２３１、及び制御部２３３の動作）をプロセッサに実行させるためのプログラムであってもよい。
【００４９】
＜３．３．技術的特徴＞
次に、第１の実施形態の技術的特徴を説明する。
【００５０】
基地局１００（情報取得部１４３）は、ダウンリンクチャネル推定値に基づいたダウンリンクチャネル情報と、アップリンクチャネル推定値に基づいたアップリンクチャネル情報と、を取得する。そして、基地局１００（制御部１４５）は、上記ダウンリンクチャネル情報と上記アップリンクチャネル情報との相関関係に基づいて、ダウンリンクチャネルでの送信に関する制御を行う。
【００５１】
（１）ダウンリンクチャネル情報
上記ダウンリンクチャネル情報は、例えば基地局１００（情報取得部１４３）により、上記ダウンリンクチャネル推定値に基づいて導出される情報である。以下では、まず、上記ダウンリンクチャネル推定値について説明する。
【００５２】
具体的に、上記ダウンリンクチャネル推定値は、ダウンリンクの伝送路品質を示す推定値である。また、上記ダウンリンクチャネル推定値に関する情報は、例えば、アップリンクで端末装置２００（通信処理部２３１）から送信される。すなわち、基地局１００（通信処理部１４１）は、アップリンクで端末装置２００（通信処理部２３１）から上記ダウンリンクチャネル推定値に関する上記情報を受信する。
【００５３】
より具体的に、上記ダウンリンクチャネル推定値は、基地局１００がダウンリンクで送信するダウンリンクリファレンス信号に基づいて、例えば端末装置２００（制御部２３３）により推定される値である。
【００５４】
ここで、上記ダウンリンクリファレンス信号として、例えば、ＣＳＩ（Channel  State  Information）−ＲＳ（Reference  Signal）が用いられる。つまり、端末装置２００（制御部１４５）は、基地局１００からダウンリンクで送信される上記ＣＳＩ−ＲＳの信号強度などを測定し、当該測定結果に基づいて上記ダウンリンクチャネル推定値を算出する。
【００５５】
基地局１００（情報取得部１４３）は、例えば、端末装置２００からアップリンクで受信した上記ダウンリンクチャネル推定値を、上記ダウンリンクチャネル情報に関する上記情報として取得してもよい。
【００５６】
とりわけ、基地局１００（情報取得部１４３）は、例えば、複数のダウンリンクチャネル推定値の平均値を、上記ダウンリンクチャネル情報に関する上記情報として取得してもよい。
【００５７】
ここで、上記複数のダウンリンクチャネル推定値は、時間方向及び周波数方向の少なくとも一の方向で規定されるダウンリンクの無線リソース位置で送信される複数のダウンリンクリファレンス信号に基づいて推定される値である。ここで、上記複数のダウンリンクリファレンス信号とは、例えば、ダウンリンクで用いられるＰＲＢ（Physical  Resource  Block）内、ＲＢＧ（Resource  Block  Group）内、又はシステム帯域内などに含まれる複数のリソースエレメントで送信される複数のＣＳＩ−ＲＳである。つまり、上記ダウンリンクチャネル情報は、上記複数のダウンリンクリファレンス信号に基づいて推定される複数のダウンリンクチャネル推定値の平均値であってもよい。
【００５８】
（２）アップリンクチャネル情報
上記アップリンクチャネル情報は、例えば、上記アップリンクチャネル推定値に基づいて導出される情報である。以下では、まず、上記アップリンクチャネル推定値について説明する。
【００５９】
具体的に、上記アップリンクチャネル推定値は、アップリンクの伝送路品質を示す推定値である。具体的に、上記アップリンクチャネル推定値は、アップリンクで端末装置２００（通信処理部２３１）から送信されるアップリンクリファレンス信号に基づいて、例えば基地局１００により推定される値である。
【００６０】
ここで、上記アップリンクリファレンス信号として、例えばＳＲＳ（Sounding  Reference  Signal）が用いられる。つまり、基地局１００（例えば、情報取得部１４３）は、端末装置２００からアップリンクで送信される上記ＳＲＳの信号強度などを測定し、当該測定結果に基づいて上記アップリンクチャネル推定値を算出する。
【００６１】
基地局１００（情報取得部１４３）は、例えば、上記アップリンク推定値を、上記アップリンクチャネル情報として取得してもよい。
【００６２】
とりわけ、基地局１００（情報取得部１４３）は、例えば、複数のアップリンクチャネル推定値の平均値を、上記アップリンクチャネル情報として取得してもよい。
【００６３】
ここで、上記複数のアップリンクチャネル推定値は、時間方向及び周波数方向の少なくとも一の方向で規定されるアップリンクの無線リソース位置で送信される複数のアップリンクリファレンス信号に基づいて推定される値である。ここで、上記複数のアップリンクリファレンス信号とは、例えば、アップリンクに用いられるＰＲＢ（Physical  Resource  Block）内、ＲＢＧ（Resource  Block  Group）内、又はシステム帯域内などに含まれる複数のリソースエレメントで送信される複数のＳＲＳである。つまり、上記アップリンクチャネル情報は、上記複数のＳＲＳに基づいて推定される複数のアップリンクチャネル推定値の平均値であってもよい。
【００６４】
（３）ダウンリンクチャネルでの送信に関する制御
基地局１００（制御部１４５）は、上記ダウンリンクチャネル情報と上記アップリンクチャネル情報との相関関係に基づいて、ダウンリンクチャネルでの送信に関する制御を行う。
【００６５】
具体的に、基地局１００および端末装置２００のそれぞれが、多素子アンテナを備えている場合には、次のようにして、ダウンリンクチャネルでの送信に関する制御を行う。
【００６６】
まず、基地局１００（制御部１４５）は、例えば、カバレッジエリア１０内に位置する各々の端末装置（例えば端末装置２００）に対応する上記ダウンリンクチャネル情報及び上記アップリンクチャネル情報が、どの程度一致するかについての評価指標として、ＵＬ−ＤＬ  Ｃｈａｎｎｅｌ  Ｒｅｃｉｐｒｏｃｉｔｙを算出する。
【００６７】
そして、基地局１００（制御部１４５）は、端末装置ごとに算出したＵＬ−ＤＬ  Ｃｈａｎｎｅｌ  Ｒｅｃｉｐｒｏｃｉｔｙを用いて、各々の端末装置のダウンリンクにおける時間／周波数リソースの割り当て、ダウンリンクのＭＵ−ＭＩＭＯ多重端末数の決定、多重端末の選択、端末装置当たりのレイヤ数の決定、レイヤごとのＭＣＳ選択、レイヤごとの送信電力制御、及び、レイヤごとのダウンリンクのビームフォーミング／プリコーディングウェイト算出などを行う。
【００６８】
（４）情報の通知
基地局１００（通信処理部１４１）は、例えば上記ダウンリンク推定値を取得する前に、上記ダウンリンク推定値を得るために用いられる上記アップリンクリファレンス信号が割り当てられる無線リソースの位置に関する情報を、端末装置２００に送信してもよい。
【００６９】
ここで、上記アップリンクリファレンス信号（例えばＳＲＳ）が割り当てられる上記無線リソース（リソースエレメント）の上記位置は、上記ダウンリンクリファレンス信号（ＣＳＩ−ＲＳ）が割り当てられる無線リソースの位置に基づいて決まる無線リソース（リソースエレメント）の位置である。
【００７０】
例えば、ＳＲＳが割り当てられるリソースエレメントの位置は、ＣＳＩ−ＲＳが割り当てられるリソースエレメントの位置を基準として、時間軸の前後方向に１サブフレームの範囲に含まれるように決定される。
【００７１】
これにより、ほぼ同時刻にＣＳＩ−ＲＳおよびＳＲＳが送信されることになるため、上記ダウンリンクチャネル情報と上記アップリンクチャネル情報との相関関係、すなわち、上記ＵＬ−ＤＬ  Ｃｈａｎｎｅｌ  Ｒｅｃｉｐｒｏｃｉｔｙをより精度良く算出することができる。
【００７２】
＜３．４．実施例＞
次に、第１の実施形態の実施例を説明する。
【００７３】
まず、ｍ個（ｍは０〜Ｎの自然数。）の端末装置２００（通信処理部２３１）のそれぞれは、基地局１００により指定された無線リソースを用いて、ＳＲＳを生成してアップリンクで送信する。ここで、端末装置２００の無線通信部２１０が複数の送信アンテナ（送信機）を備える場合は、端末装置２００（通信処理部２３１）は、各々の送信アンテナごとに異なるＳＲＳを生成してアップリンクで送信してもよい。
【００７４】
一方、基地局１００（通信処理部１４１、情報取得部１４３）は、端末装置２００から送信されたＳＲＳを受信し、無線通信部１１０が備える受信アンテナ（受信機）ごとにアップリンクチャネル推定値を算出する。ここで、チャネル推定精度を高めるために、ＰＲＢ内、ＲＢＧ内、システム帯域内などで、アップリンクチャネル推定値の平均化処理を行い、その平均値をアップリンクチャネル情報として用いてもよい。また、端末装置２００が送信アンテナごとに異なるＳＲＳを送信する場合、基地局１００は、端末装置２００の送信アンテナごとに、及び、基地局１００の受信アンテナごとに、アップリンクチャネル推定値を算出してもよい。
【００７５】
次に、基地局１００（通信処理部１４１）は、個々の端末装置に関係なく、無線通信部１１０が備える送信アンテナごとに異なるチャネル推定用信号（ＣＳＩ−ＲＳ）を生成してダウンリンクで送信する。
【００７６】
一方、端末装置２００（通信処理部２３１）は、基地局１００から送信されたＣＳＩ−ＲＳを受信し、基地局１００の送信アンテナごとに対応するダウンリンクチャネル推定値を算出する。ここで、チャネル推定精度を高めるために、ＰＲＢ内、ＲＢＧ内、又はシステム帯域内などで、ダウンリンクチャネル推定値の平均化処理を行い、その平均値をダウンリンクチャネル情報として用いてもよい。また、端末装置２００の無線通信部２１０が複数の受信アンテナ（受信機）を備える場合は、端末装置２００側の受信アンテナごとに、及び、基地局１００側の送信アンテナごとに、アップリンクチャネル推定値を算出してもよい。
【００７７】
次に、端末装置２００（通信処理部２３１）は、ダウンリンクチャネル推定値に関する情報（例えば、ダウンリンクチャネル推定値、又はダウンリンクチャネル情報）を、ＰＵＳＣＨ（Physical  Uplink  Shared  CHannel）もしくはＰＵＣＣＨ（Physical  Uplink  Control  CHannel）の送信フォーマットへのデータ変換を行う。この送信フォーマットは、ダウンリンクチャネル推定値に関する情報に対して、圧縮や離散化などビット数削減のための処理を行ってもよい。
【００７８】
一方、基地局１００（通信処理部１４１、情報取得部１４３）は、各々の端末装置２００から送信されるダウンリンクチャネル推定値に関する情報を受信する。そして、基地局１００（制御部１４５）は、ダウンリンクチャネル情報とアップリンクチャネル情報とを用いて、例えば各々のＰＲＢにおけるアンテナごとの相関を算出することにより、ＵＬ−ＤＬ  Ｃｈａｎｎｅｌ  Ｒｅｃｉｐｒｏｃｉｔｙを得る。さらに、基地局１００（制御部１４５）は、各々の端末装置２００について得たＵＬ−ＤＬ  Ｃｈａｎｎｅｌ  Ｒｅｃｉｐｒｏｃｉｔｙの良否結果に基づいて、ダウンリンクでの通信に関する制御を行う。すなわち、基地局１００は、各々の端末装置２００ごとに取得したＵＬ−ＤＬ  Ｃｈａｎｎｅｌ  Ｒｅｃｉｐｒｏｃｉｔｙを用いて、各端末装置のダウンリンクにおける時間／周波数リソースの割り当て、ダウンリンクＭＵ−ＭＩＭＯ多重端末数の決定、多重端末の選択、端末装置当たりのレイヤ数の決定、レイヤごとのＭＣＳ選択、レイヤごとの送信電力制御、及び、レイヤごとのダウンリンクビームフォーミング／プリコーディングウェイトの算出を行う。
【００７９】
−各リファレンス信号の送信スケジュール
次に、図４を参照して、各信号の送信スケジュールについて説明する。図４は、ダウンリンクおよびアップリンクで送信される各信号の送信スケジュールを示すタイムチャート図である。
【００８０】
まず、タイミングＴ２０１において、基地局１００（ｅＮＢ）は、ＰＤＣＣＨ又はＥＰＤＣＣＨ（Enhanced Physical Downlink Control CHannel）を用いて、端末装置２００（ＵＥ）に、ＳＲＳの送信タイミングを通知する。なお、当該タイミングＴ２０１において、基地局１００（通信処理部１４１）は、ダウンリンクチャネル推定値に関する情報の送信タイミングも、端末装置２００（ＵＥ）に通知してもよい。
【００８１】
次に、ほぼ同時刻であるタイミングＴ２０２、及びタイミングＴ２０３において、基地局１００と端末装置は、それぞれリファレンス信号（ＲＳ）を送信する。すなわち、タイミングＴ２０２において基地局１００はＣＳＩ−ＲＳを送信し、タイミングＴ２０３において端末装置２００はＳＲＳを送信する。
【００８２】
次に、タイミングＴ２０４において、基地局１００（ｅＮＢ）は、ＳＲＳの測定結果に基づいて、アップリンクチャネル推定値を算出する。一方、タイミングＴ２０５において、端末装置２００は、ＣＳＩ−ＲＳの測定結果に基づいてダウンリンクチャネル推定値を算出する。
【００８３】
続いて、タイミングＴ２０６において、端末装置２００は、基地局１００に、ダウンリンクチャネル推定値をフィードバックするため、ダウンリンクチャネル推定値に関する情報をＰＵＣＣＨ（Physical  Uplink  Control  CHannel）またはＰＵＳＣＨ（Physical  Uplink  Shared  CHannel）で送信する。
【００８４】
続いて、タイミング２０７において、基地局１００は、ＵＬ−ＤＬ  Ｃｈａｎｎｅｌ  Ｒｅｃｉｐｒｏｃｉｔｙを算出し、その結果を用いて、ダウンリンクでのスケジューリングやビームフォーミングなど、ダウンリンクチャネルでの送信に関する制御を行う。
【００８５】
なお、端末装置２００（ＵＥ）は、上記タイミングＴ２０２及びタイミングＴ２０３のような送信タイミングによらずにＣＳＩ−ＲＳ及びＳＲＳをそれぞれ周期的に送信してもよい。例えば、ＬＴＥ規格においては、ＳＲＳは最短２ｍｓ周期で送信され、ＣＳＩ−ＲＳは最短５ｍｓ周期で送信される。このため、例えば、サブフレーム間隔が隣り合うようなリソースエレメントにＣＳＩ−ＲＳおよびＳＲＳを割り当ててもよい。
【００８６】
−各リファレンス信号のリソース割り当て
図５を参照して、各リファレンス信号（ＣＳＩ−ＲＳ、ＳＲＳ）のリソース割り当ての構成を説明する。図５は、ＣＳＩ−ＲＳ及びＳＲＳがそれぞれ割り当てられるリソースブロックの概略的な構成を示す図である。
【００８７】
例えば、図５（Ａ）は、ＴＤＤ（Time  Division  Duplex）におけるＳｐｅｃｉａｌ  Ｓｕｂｆｒａｍｅを用いてリファレンス信号を送信する具体例を示す図である。すなわち、図５（Ａ）に示すように、例えば、ＣＳＩ−ＲＳ５１１は、Ｓｐｅｃｉａｌ  Ｓｕｂ  ＦｒａｍｅにおけるＤｗＰＴＳ（Downlink  Pilot  Time  Slot）のリソースエレメントに割り当てられる。また、ＳＲＳ５１２は、Ｓｐｅｃｉａｌ  Ｓｕｂ  ＦｒａｍｅにおけるＵｐＰＴＳ（Uplink  Pilot  Time  Slot）のリソースエレメントに割り当てられる。
【００８８】
また、図５（Ｂ）及び図５（Ｃ）は、ＴＤＤのアップリンクサブフレームからダウンリンクサブフレームへと切り替わるリソースを用いた具体例を示す図である。すなわち、図５（Ｂ）に示すように、ＴＤＤにおいてアップリンクサブフレームからダウンリンクサブフレームに切り替わる場合には、ＳＲＳ５２２は、アップリンクサブフレーム内のリソースエレメントに割り当てられ、ＣＳＩ−ＲＳ５２１は、上記アップリンクサブフレームに近いダウンリンクサブフレーム内のリソースエレメントに割り当てられる。なお、各推定値について平均化処理を行う場合には、例えば図５（Ｃ）に示すような周期的もしくは非周期的に送信されるＳＲＳ５２２とＣＳＩ−ＲＳ５２１を、チャネル変動が大きくない範囲で所望サブフレーム分を測定対象（推定対象）に設定することが望ましい。例えば、１サブフレーム（１２サブキャリア、１４シンボル）が測定対象に設定され、サブフレーム間で各推定値に対して位相補正処理およびベクトル平均化処理が行われる。これにより、チャネル推定精度を上げることが可能になる。
【００８９】
また、端末装置２００に対して割り当てられる周波数リソース、アンテナポート数などには限りがある。このため、複数サブフレームを取得する際に時間で分割して全ＰＲＢ、全アンテナ分に対応するアップリンク／ダウンリンクチャネル情報の相関を用いることで、ダウンリンクでの送信に関する制御（スケジューリングなど）をより高い自由度で行うことが可能になる。
【００９０】
−ダウンリンクチャネルでの送信に関する制御の具体例
（ＵＬ−ＤＬ  Ｃｈａｎｎｅｌ  Ｒｅｃｉｐｒｏｃｉｔｙの算出例）
例えば、基地局１００（制御部１４５）は、例えば下記の数式を用いて、ＵＬ−ＤＬ  Ｃｈａｎｎｅｌ  Ｒｅｃｉｐｒｏｃｉｔｙを算出することができる。
【００９１】
【数１】
2019176468.tif 000003
【００９２】
上記数式において、ＵＬ  Ｃｈａｎｎｅｌ  Ｅｓｔｉｍａｔｉｏｎ  ｖｅｃｔｏｒは、上記アップリンクチャネル情報に当たる。また、ＤＬ  Ｃｈａｎｎｅｌ  Ｅｓｔｉｍａｔｉｏｎ  ｖｅｃｔｏｒは、上記ダウンリンクチャネル情報に当たる。
【００９３】
（時間／周波数リソース割当に関する制御の例）
例えば、基地局１００（制御部１４５）は、ＵＬ−ＤＬ  Ｃｈａｎｎｅｌ  Ｒｅｃｉｐｒｏｃｉｔｙが相対的に良いＰＲＢ又はＲＢＧを、端末多重数の多い時間リソースに優先的に割り当てる。「ＵＬ−ＤＬ  Ｃｈａｎｎｅｌ  Ｒｅｃｉｐｒｏｃｉｔｙが良い」とはアップリンクチャネル情報とダウンリンクチャネル情報との相関が高いことを意味する。
【００９４】
一方、基地局１００（制御部１４５）は、ＵＬ−ＤＬ  Ｃｈａｎｎｅｌ  Ｒｅｃｉｐｒｏｃｉｔｙが相対的に悪いＰＲＢ又はＲＢＧを、端末多重数の少ない時間リソースに優先的に割り当てる。もしくは、基地局１００は、当該ＰＲＢ又はＲＢＧを、互いに異なる周波数リソースに割当てる。「ＵＬ−ＤＬ  Ｃｈａｎｎｅｌ  Ｒｅｃｉｐｒｏｃｉｔｙが悪い」とはアップリンクチャネル情報とダウンリンクチャネル情報との相関が低いことを意味する。
【００９５】
（多重端末選択／多重端末数決定に関する制御の例）
基地局１００（制御部１４５）は、ＵＬ−ＤＬ  Ｃｈａｎｎｅｌ  Ｒｅｃｉｐｒｏｃｉｔｙが相対的に良い端末装置を、多重端末数の多いリソースに優先的に割り当てる。
【００９６】
また、基地局１００（制御部１４５）は、ＵＬ−ＤＬ  Ｃｈａｎｎｅｌ  Ｒｅｃｉｐｒｏｃｉｔｙが相対的に悪い端末装置に割り当てられるリソースについて、その多重端末数を減少させる。
【００９７】
（端末装置当たりのレイヤ数（Rank）決定に関する制御の例）
基地局１００（制御部１４５）は、ＵＬ−ＤＬ  Ｃｈａｎｎｅｌ  Ｒｅｃｉｐｒｏｃｉｔｙが相対的に悪い端末装置に割り当てられるリソースについて、当該端末装置当たりのレイヤ数（Rank）を下げる。
【００９８】
（レイヤごとのＭＣＳ選択に関する制御の例）
基地局１００（制御部１４５）は、ＵＬ−ＤＬ  Ｃｈａｎｎｅｌ  Ｒｅｃｉｐｒｏｃｉｔｙが相対的に悪い端末装置のリソースについて、そのリソースに用いられるＭＣＳを小さくする。
【００９９】
（送信電力に基づいた制御の例）
基地局１００（制御部１４５）は、ＵＬ−ＤＬ  Ｃｈａｎｎｅｌ  Ｒｅｃｉｐｒｏｃｉｔｙが相対的に悪い端末装置の送信電力が最適でない可能性があるため、ＤＬ  ＤＭ−ＲＳ（DeModulation  Reference  Signal）を用いて端末装置側で算出して送信されるＣＱＩ（Channel  Quality  Indicator)に基づいて送信電力を調整し、再度アップリンクチャネル情報及びダウンリンクチャネル情報に基づいてＵＬ−ＤＬ  Ｃｈａｎｎｅｌ  Ｒｅｃｉｐｒｏｃｉｔｙを算出して、ダウンリンクでの送信に関する制御を行う。
【０１００】
−効果
本実施例においては、例えば以下のような効果がある。
【０１０１】
本実施例によれば、例えば、基地局と端末装置間の伝搬路相反性であるＵＬ−ＤＬ  Ｃｈａｎｎｅｌ  Ｒｅｃｉｐｒｏｃｉｔｙに基づいて、ダウンリンクでの送信に関する制御を行うことにより、伝搬路相反性が劣化している場合でも、端末装置でのデータ復号誤り率の増加を抑え、他の端末装置の受信信号品質劣化を防ぐことができる。したがって、本実施例によれば、安定して高いダウンリンク受信信号品質と高いシステムスループットを実現することが可能となる。
【０１０２】
−他の実施例
次に、他の実施例を説明する。
【０１０３】
（第１の例）
例えば、端末装置２００が複数の基地局のセル端（カバレッジエリアの端）に位置する場合、上記複数の基地局がそれぞれＵＬ−ＤＬ  Ｃｈａｎｎｅｌ  Ｒｅｃｉｐｒｏｃｉｔｙを算出する。そして、上記複数の基地局を集約する基地局（例えば基地局１００）が、ＵＬ−ＤＬ  Ｃｈａｎｎｅｌ  Ｒｅｃｉｐｒｏｃｉｔｙが相対的に良い基地局を優先して、ハンドオーバのためのスケジューリングをする。これにより、高いダウンリンク受信信号品質と高いダウンリンクシステムスループットを実現することが可能となる。
【０１０４】
（第２の例）
例えば、端末装置２００と基地局１００との間でキャリアアグリゲーションを行うことが可能な場合、基地局１００は、各ＰＲＢ又はＲＢＧごとについて算出されたＵＬ−ＤＬ  Ｃｈａｎｎｅｌ  Ｒｅｃｉｐｒｏｃｉｔｙを用いて、キャリアアグリゲーションを行うためのＣＣ（Component  Carrier）を選択する。これにより、高いダウンリンク受信信号品質と高いダウンリンクシステムスループットを実現することが可能となる。
【０１０５】
（第３の例）
コードブックによる複数の固定ビーム（ダウンリンクアンテナウェイト）から選択されるビームを用いたビームフォーミングが行われる場合、基地局１００は、各コードブックインデックスに対応するビームから推測されるダウンリンクチャネル推定値とアップリンクチャネル推定値に基づいてＵＬ−ＤＬ  Ｃｈａｎｎｅｌ  Ｒｅｃｉｐｒｏｃｉｔｙを算出する。そして、基地局１００は、ＵＬ−ＤＬ  Ｃｈａｎｎｅｌ  Ｒｅｃｉｐｒｏｃｉｔｙが最も良いコードブックインデックスを選択することで、ダウンリンクチャネル情報がなくても、準最適なダインリンクウェイトを簡易に選択でき、比較的高いダウンリンク受信信号品質と比較的高いダウンリンクシステムスループットを実現することが可能となる。
【０１０６】
（第４の例）
ＵＬ−ＤＬ  Ｃｈａｎｎｅｌ  Ｒｅｃｉｐｒｏｃｉｔｙを算出するために用いられる測定対象は、Ｗｉｄｅ  ｂａｎｄ（全システム帯域）だけでなく、Ｓｕｂ  ｂａｎｄ  （帯域の一部）であってもよい。これにより演算量の削減が可能となる。
【０１０７】
（第５の例）
ＵＬ−ＤＬ  Ｃｈａｎｎｅｌ  Ｒｅｃｉｐｒｏｃｉｔｙが劣化している端末装置は、送信電力が最適でない可能性がある。このため、短周期で送信電力調整が行われたＵＬ／ＤＬチャネルを測定対象として算出されるＵＬ−ＤＬ  Ｃｈａｎｎｅｌ  Ｒｅｃｉｐｒｏｃｉｔｙに基づいて最適な送信電力制御を行うことにより、ＤＬ  ＭＵ−ＭＩＭＯでの高いダウンリンク受信信号品質と高いダウンリンクシステムスループットを実現することが可能となる。
【０１０８】
（第６の例）
アップリンク及び／又はダウンリンクのどちらかの送受信タイミングが合っていない場合、ＵＬ−ＤＬ  Ｃｈａｎｎｅｌ  Ｒｅｃｉｐｒｏｃｉｔｙが劣化する。このため、基地局１００は、ＵＬ−ＤＬ  Ｃｈａｎｎｅｌ  Ｒｅｃｉｐｒｏｃｉｔｙの良否結果に基づいてアップリンク及び／又はダウンリンクの送信タイミングを制御することで、安定した通信品質を実現することが可能となる。
【０１０９】
＜＜４．第２の実施形態＞＞
続いて、図６を参照して、本発明の第２の実施形態を説明する。上述した第１の実施形態は、具体的な実施形態であるが、第２の実施形態は、より一般化された実施形態である。
【０１１０】
＜４．１．基地局１００の構成＞
まず、図６を参照して、第２の実施形態に係る基地局１００の構成の例を説明する。図６は、第２の実施形態に係る基地局１００の概略的な構成の例を示すブロック図である。図６を参照すると、基地局１００は、情報取得部１５１、及び制御部１５３を含む。情報取得部１５１及び制御部１５３の具体的な動作は、後に説明する。
【０１１１】
情報取得部１５１及び制御部１５３は、同一のプロセッサにより実装されてもよく、別々に異なるプロセッサにより実装されてもよい。情報取得部１５１及び制御部１５３は、プログラム（命令）を記憶するメモリと、当該プログラム（命令）を実行可能な１つ以上のプロセッサとを含んでもよく、当該１つ以上のプロセッサは、情報取得部１５１及び制御部１５３の動作を行ってもよい。上記プログラムは、情報取得部１５１及び制御部１５３の動作をプロセッサに実行させるためのプログラムであってもよい。
【０１１２】
なお、上述した各々のプロセッサは、例えば汎用なコンピュータにインストールされたハイパーバイザなどにより実現される仮想プロセッサであってもよい。また、上述した各々のメモリは、例えば汎用なコンピュータにインストールされたハイパーバイザなどにより実現される仮想メモリであってもよい。
【０１１３】
＜４．２．技術的特徴＞
次に、第２の実施形態の技術的特徴を説明する。
【０１１４】
第２の実施形態では、基地局１００（情報取得部１５１）は、ダウンリンクチャネル推定値に基づいたダウンリンクチャネル情報と、アップリンクチャネル推定値に基づいたアップリンクチャネル情報と、を取得する。そして、基地局１００（制御部１５３）は、上記ダウンリンクチャネル情報と上記アップリンクチャネル情報との相関関係に基づいて、ダウンリンクチャネルでの送信に関する制御を行う。
【０１１５】
例えば、情報取得部１５１は、上述した第１の実施形態に係る情報取得部１４３の動作を行ってもよい。また、制御部１５３は、上述した第１の実施形態に係る制御部１４５の動作を行ってもよい。
【０１１６】
以上、第２の実施形態を説明した。第２の実施形態によれば、例えば、アップリンクとダウンリンクの間に成り立つチャネル相互関係（ｃｈａｎｎｅｌ  ｒｅｃｉｐｒｏｃｉｔｙ）が劣化している場合でも、ダウンリンクでの送信に関する制御を適切に行うことが可能になる。
【０１１７】
＜＜５．他の形態＞＞
【０１１８】
以上、本発明の実施形態を説明したが、本発明はこれらの実施形態に限定されるものではない。これらの実施形態は例示にすぎないということ、及び、本発明のスコープ及び精神から逸脱することなく様々な変形が可能であるということは、当業者に理解されるであろう。
【０１１９】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。また、処理におけるステップの一部が削除されてもよく、さらなるステップが処理に追加されてもよい。
【０１２０】
また、本明細書において説明した基地局の構成要素（例えば、情報取得部及び／又は制御部）を備える装置（例えば、基地局を構成する複数の装置（又はユニット）のうちの１つ以上の装置（又はユニット）、又は上記複数の装置（又はユニット）のうちの１つのためのモジュール）が提供されてもよい。また、上記構成要素の処理を含む方法が提供されてもよく、上記構成要素の処理をプロセッサに実行させるためのプログラムが提供されてもよい。また、当該プログラムを記録したコンピュータに読み取り可能な非一時的記録媒体（Non-transitory  computer  readable  medium）が提供されてもよい。当然ながら、このような装置、モジュール、方法、プログラム、及びコンピュータに読み取り可能な非一時的記録媒体も本発明に含まれる。
【０１２１】
上記実施形態の一部又は全部は、以下の付記のようにも記載され得るが、以下には限られない。
【０１２２】
（付記１）
ダウンリンクチャネル推定値に基づいたダウンリンクチャネル情報と、アップリンクチャネル推定値に基づいたアップリンクチャネル情報と、を取得する情報取得部と、
前記ダウンリンクチャネル情報と前記アップリンクチャネル情報との相関関係に基づいて、ダウンリンクチャネルでの送信に関する制御を行う制御部と、
を備える基地局。
【０１２３】
（付記２）
アップリンクで端末装置から前記ダウンリンクチャネル推定値に関する情報を受信する通信処理部を更に備える、付記１記載の基地局。
【０１２４】
（付記３）
前記ダウンリンクチャネル推定値は、当該基地局がダウンリンクで送信するダウンリンクリファレンス信号に基づいて推定される値である、付記１又は２記載の基地局。
【０１２５】
（付記４）
前記ダウンリンクチャネル情報は、時間方向及び周波数方向の少なくとも一の方向で規定されるダウンリンクの無線リソース位置で送信される複数のダウンリンクリファレンス信号に基づいて推定される複数のダウンリンクチャネル推定値の平均値に関する情報である、付記３記載の基地局。
【０１２６】
（付記５）
前記ダウンリンクリファレンス信号は、ＣＳＩ（Channel  State  Information）−ＲＳ（Reference  Signal）である、付記３又は４記載の基地局。
【０１２７】
（付記６）
前記アップリンクチャネル推定値は、アップリンクで端末装置から送信されるアップリンクリファレンス信号に基づいて推定される値である、付記１乃至５のうち何れか１項記載の基地局。
【０１２８】
（付記７）
前記アップリンクチャネル情報は、時間方向及び周波数方向の少なくとも一の方向で規定されるアップリンクの無線リソース位置で送信される複数のアップリンクリファレンス信号に基づいて推定される複数のアップリンクチャネル推定値の平均値に基づいて導出される情報である、付記６記載の基地局。
【０１２９】
（付記８）
前記アップリンクリファレンス信号は、ＳＲＳ（Sounding  Reference  Signal）である、付記６又は７記載の基地局。
【０１３０】
（付記９）
前記アップリンクリファレンス信号が割り当てられる無線リソースの位置に関する情報を、前記端末装置に送信する通信処理部を更に備える付記６乃至８のうち何れか１項記載の基地局。
【０１３１】
（付記１０）
前記ダウンリンクチャネル推定値は、当該基地局がダウンリンクで送信するダウンリンクリファレンス信号に基づいて推定される値であり、
前記アップリンクリファレンス信号が割り当てられる前記無線リソースの前記位置は、前記ダウンリンクリファレンス信号が割り当てられる無線リソースの位置に基づいて決まる無線リソースの位置である、付記９記載の基地局。
【０１３２】
（付記１１）
ダウンリンクチャネル推定値に基づいたダウンリンクチャネル情報と、アップリンクチャネル推定値に基づいたアップリンクチャネル情報と、を取得することと、
前記ダウンリンクチャネル情報と前記アップリンクチャネル情報との相関関係に基づいて、ダウンリンクチャネルでの送信に関する制御を行うことと、
含む方法。
【０１３３】
（付記１２）
ダウンリンクチャネル推定値に基づいたダウンリンクチャネル情報と、アップリンクチャネル推定値に基づいたアップリンクチャネル情報と、を取得することと、
前記ダウンリンクチャネル情報と前記アップリンクチャネル情報との相関関係に基づいて、ダウンリンクチャネルでの送信に関する制御を行うことと、
をプロセッサに実行させるプログラム。
【０１３４】
（付記１３）
ダウンリンクチャネル推定値に基づいたダウンリンクチャネル情報と、アップリンクチャネル推定値に基づいたアップリンクチャネル情報と、を取得することと、
前記ダウンリンクチャネル情報と前記アップリンクチャネル情報との相関関係に基づいて、ダウンリンクチャネルでの送信に関する制御を行うことと、
をプロセッサに実行させるプログラムを記録したコンピュータに読み取り可能な非一時的記録媒体。
【０１３５】
この出願は、２０１８年３月１４日に出願された日本出願特願２０１８−０４６３８８を基礎とする優先権を主張し、その開示の全てをここに取り込む。
【産業上の利用可能性】
【０１３６】
移動体通信システムにおいて、アップリンクとダウンリンクの間に成り立つチャネル相互関係（ｃｈａｎｎｅｌ  ｒｅｃｉｐｒｏｃｉｔｙ）が劣化している場合でも、ダウンリンクでの送信に関する制御を適切に行うことができる。
【符号の説明】
【０１３７】
１        システム
１００    基地局
１４１、２３１  通信処理部
１４３、１５１  情報取得部
１４５、１５３、２３３  制御部
２００    端末装置
【図１】
2019176468.tif 000004
【図２】
2019176468.tif 000005
【図３】
2019176468.tif 000006
【図４】
2019176468.tif 000007
【図５】
2019176468.tif 000008
【図６】
2019176468.tif 000009
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
ダウンリンクチャネル推定値に基づいたダウンリンクチャネル情報と、アップリンクチャネル推定値に基づいたアップリンクチャネル情報と、を取得する情報取得手段と、
前記ダウンリンクチャネル情報と前記アップリンクチャネル情報との相関関係に基づいて、ダウンリンクチャネルでの送信に関する制御を行う制御手段と、
を備える基地局。
【請求項２】
アップリンクで端末装置から前記ダウンリンクチャネル推定値に関する情報を受信する通信処理手段を更に備える、請求項１記載の基地局。
【請求項３】
前記ダウンリンクチャネル推定値は、当該基地局がダウンリンクで送信するダウンリンクリファレンス信号に基づいて推定される値である、請求項１又は２記載の基地局。
【請求項４】
前記ダウンリンクチャネル情報は、時間方向及び周波数方向の少なくとも一の方向で規定されるダウンリンクの無線リソース位置で送信される複数のダウンリンクリファレンス信号に基づいて推定される複数のダウンリンクチャネル推定値の平均値に関する情報である、請求項３項記載の基地局。
【請求項５】
前記ダウンリンクリファレンス信号は、ＣＳＩ（Channel  State  Information）−ＲＳ（Reference  Signal）である、請求項３又は４記載の基地局。
【請求項６】
前記アップリンクチャネル推定値は、アップリンクで端末装置から送信されるアップリンクリファレンス信号に基づいて推定される値である、請求項１乃至５のうち何れか１項記載の基地局。
【請求項７】
前記アップリンクチャネル情報は、時間方向及び周波数方向の少なくとも一の方向で規定されるアップリンクの無線リソース位置で送信される複数のアップリンクリファレンス信号に基づいて推定される複数のアップリンクチャネル推定値の平均値に基づいて導出される情報である、請求項６項記載の基地局。
【請求項８】
前記アップリンクリファレンス信号は、ＳＲＳ（Sounding  Reference  Signal）である、請求項６又は７記載の基地局。
【請求項９】
ダウンリンクチャネル推定値に基づいたダウンリンクチャネル情報と、アップリンクチャネル推定値に基づいたアップリンクチャネル情報と、を取得することと、
前記ダウンリンクチャネル情報と前記アップリンクチャネル情報との相関関係に基づいて、ダウンリンクチャネルでの送信に関する制御を行うことと、
含む方法。
【請求項１０】
ダウンリンクチャネル推定値に基づいたダウンリンクチャネル情報と、アップリンクチャネル推定値に基づいたアップリンクチャネル情報と、を取得することと、
前記ダウンリンクチャネル情報と前記アップリンクチャネル情報との相関関係に基づいて、ダウンリンクチャネルでの送信に関する制御を行うことと、
をプロセッサに実行させるプログラム。
【国際調査報告】
2019176468.tif 000010
2019176468.tif 000011